【手続補正書】
【提出日】平成30年10月4日(2018.10.4)
【手続補正１】
【補正対象書類名】特許請求の範囲
【補正対象項目名】全文
【補正方法】変更
【補正の内容】
【特許請求の範囲】
【請求項１】
第１端末とメッセージの送受信を行う端末のコンピュータに実行させるプログラムであって、
前記第１端末から送信された第１メッセージを前記端末の通信部によって受信することと、
前記第１メッセージとは異なる第２メッセージを前記通信部によって前記第１端末に送信することと、
前記第１メッセージに関連付けられた第１時刻と、前記第２メッセージに関連付けられた第２時刻とに基づき設定された間隔で、前記第１メッセージと前記第２メッセージとを前記端末の表示部によって表示することとを含む。
【請求項２】
請求項１に記載のプログラムであって、
前記第１メッセージと前記第２メッセージとは、前記第１メッセージに関連付けられた第１時刻と、前記第２メッセージに関連付けられた第２時刻との差分に基づき設定された間隔で表示される。
【請求項３】
請求項１または請求項２に記載のプログラムであって、
前記端末は、前記第１端末とグループ化され、
前記第１メッセージと前記第２メッセージとは、前記第１端末の表示部によって表示される。
【請求項４】
請求項１から請求項３のいずれか一項に記載のプログラムであって、
前記第１メッセージと前記第２メッセージとは、前記第１時刻と前記第２時刻との間の時間間隔が第１時間間隔の場合、第１間隔で表示され、前記第１時刻と前記第２時刻との間の時間間隔が前記第１時間間隔よりも長い第２時間間隔の場合、前記第１間隔よりも長い第２間隔で表示される。
【請求項５】
請求項１から請求項３のいずれか一項に記載のプログラムであって、
前記第１端末から送信された、前記第１メッセージとは異なる第３メッセージを前記通信部によって受信することと、
前記第２メッセージとは異なる第４メッセージを前記通信部によって前記第１端末に送信することと、
前記第１メッセージに関連付けられた前記第１時刻と、前記第２メッセージに関連付けられた前記第２時刻とに基づき設定された第１間隔で、前記第１メッセージと前記第２メッセージとを表示し、前記第３メッセージに関連付けられた第３時刻と、前記第４メッセージに関連付けられた第４時刻とに基づき設定された第２間隔で、前記第３メッセージと前記第４メッセージとを表示することとを含み、
前記第２間隔は、前記第３時刻と前記第４時刻との間の第２時間間隔が、前記第１時刻と前記第２時刻との間の第１時間間隔よりも長い場合、前記第１間隔よりも長く設定される。
【請求項６】
請求項１から請求項５のいずれか一項に記載のプログラムであって、
前記第１メッセージと前記第２メッセージとが、設定された期間内の情報の場合、前記第１メッセージと前記第２メッセージとを一つの期間情報によって表示することを含む。
【請求項７】
請求項５に記載のプログラムであって、
前記第１メッセージと前記第２メッセージとが、設定された第１期間内の情報の場合、前記第１メッセージと前記第２メッセージとを一つの第１期間情報によって表示することと、
前記第３メッセージと前記第４メッセージとが、前記第１期間内とは異なる、設定された第２期間内の情報の場合、前記第３メッセージと前記第４メッセージとを一つの第２期間情報によって表示することとを含み、
前記第１期間情報と前記第２期間情報とは、前記第１期間と前記第２期間とに基づき設定された間隔で表示される。
【請求項８】
請求項６または請求項７に記載のプログラムであって、
前記端末のユーザの選択に基づいて、前記第１メッセージと前記第２メッセージとを表示する第１表示と、前記第１メッセージと前記第２メッセージとを一つの前記期間情報として表示する第２表示とのうちいずれか一方を表示する。
【請求項９】
請求項１から請求項８のいずれか一項に記載のプログラムであって、
前記第１メッセージと前記第２メッセージとは、前記表示部によって、前記第１メッセージと前記第２メッセージとが異なる奥行き位置に表示される。
【請求項１０】
請求項９に記載のプログラムであって、
前記第１メッセージと前記第２メッセージとは、記第１メッセージに関連付けられた前記第１時刻と、前記第２メッセージに関連付けられた前記第２時刻とに基づき設定された前記奥行き位置の間隔で表示される。
【請求項１１】
請求項１から請求項３のいずれか一項に記載のプログラムであって、
前記第１端末とは異なる第２端末から送信された、前記第１メッセージとは異なる第５メッセージを前記通信部によって受信することと、
前記第２メッセージとは異なる第６メッセージを前記通信部によって、少なくとも前記第２端末に送信することと、
前記第１メッセージに関連付けられた前記第１時刻と、前記第２メッセージに関連付けられた前記第２時刻とに基づき設定された第１間隔で、前記第１メッセージと前記第２メッセージとを表示し、前記第５メッセージに関連付けられた第５時刻と、前記第６メッセージに関連付けられた第６時刻とに基づき設定された第３間隔で、前記第５メッセージと前記第６メッセージとを表示することとを含み、
前記第３間隔は、前記第５時刻と前記第６時刻との間の第３時間間隔が、前記第１時刻と前記第２時刻との間の第１時間間隔よりも長い場合、前記第１間隔よりも長く設定される。
【請求項１２】
請求項１１に記載のプログラムであって、
前記端末は、前記第１端末と前記第２端末とでグループ化され、
前記第１メッセージと前記第２メッセージとは、前記第２端末に送信され、
前記第５メッセージと前記第６メッセージとは、前記第１端末に送信され、
前記第１メッセージ、前記第２メッセージ、前記第５メッセージ、前記第６メッセージは前記第１端末の表示部によって表示され、前記第１メッセージ、前記第２メッセージ、前記第５メッセージ、前記第６メッセージは前記第２端末の表示部によって表示される。
【請求項１３】
第１端末とメッセージの送受信を行う端末の表示方法であって、
前記第１端末から送信された第１メッセージを前記端末の通信部によって受信することと、
前記第１メッセージとは異なる第２メッセージを前記通信部によって前記第１端末に送信することと、
前記第１メッセージに関連付けられた第１時刻と、前記第２メッセージに関連付けられた第２時刻とに基づき設定された間隔で、前記第１メッセージと前記第２メッセージとを前記端末の表示部によって表示することとを含む。
【請求項１４】
請求項１３に記載の表示方法であって、
前記第１メッセージと前記第２メッセージとは、前記第１メッセージに関連付けられた第１時刻と、前記第２メッセージに関連付けられた第２時刻との差分に基づき設定された間隔で表示される。
【請求項１５】
請求項１３または請求項１４に記載の表示方法であって、
前記端末は、前記第１端末とグループ化され、
前記第１メッセージと前記第２メッセージとは、前記第１端末の表示部によって表示される。
【請求項１６】
請求項１３から請求項１５のいずれか一項に記載の表示方法であって、
前記第１メッセージと前記第２メッセージとは、前記第１時刻と前記第２時刻との間の時間間隔が第１時間間隔の場合、第１間隔で表示され、前記第１時刻と前記第２時刻との間の時間間隔が前記第１時間間隔よりも長い第２時間間隔の場合、前記第１間隔よりも長い第２間隔で表示される。
【請求項１７】
請求項１３から請求項１５のいずれか一項に記載の表示方法であって、
前記第１端末から送信された、前記第１メッセージとは異なる第３メッセージを前記通信部によって受信することと、
前記第２メッセージとは異なる第４メッセージを前記通信部によって前記第１端末に送信することと、
前記第１メッセージに関連付けられた前記第１時刻と、前記第２メッセージに関連付けられた前記第２時刻とに基づき設定された第１間隔で、前記第１メッセージと前記第２メッセージとを表示し、前記第３メッセージに関連付けられた第３時刻と、前記第４メッセージに関連付けられた第４時刻とに基づき設定された第２間隔で、前記第３メッセージと前記第４メッセージとを表示することとを含み、
前記第２間隔は、前記第３時刻と前記第４時刻との間の第２時間間隔が、前記第１時刻と前記第２時刻との間の第１時間間隔よりも長い場合、前記第１間隔よりも長く設定される。
【請求項１８】
請求項１３から請求項１７のいずれか一項に記載の表示方法であって、
前記第１メッセージと前記第２メッセージとが、設定された期間内の情報の場合、前記第１メッセージと前記第２メッセージとを一つの期間情報によって表示することを含む。
【請求項１９】
請求項１７に記載の表示方法であって、
前記第１メッセージと前記第２メッセージとが、設定された第１期間内の情報の場合、前記第１メッセージと前記第２メッセージとを一つの第１期間情報によって表示することと、
前記第３メッセージと前記第４メッセージとが、前記第１期間内とは異なる、設定された第２期間内の情報の場合、前記第３メッセージと前記第４メッセージとを一つの第２期間情報によって表示することとを含み、
前記第１期間情報と前記第２期間情報とは、前記第１期間と前記第２期間とに基づき設定された間隔で表示される。
【請求項２０】
請求項１８または請求項１９に記載の表示方法であって、
前記端末のユーザの選択に基づいて、前記第１メッセージと前記第２メッセージとを表示する第１表示と、前記第１メッセージと前記第２メッセージとを一つの前記期間情報として表示する第２表示とのうちいずれか一方を表示する。
【請求項２１】
請求項１３から請求項２０のいずれか一項に記載の表示方法であって、
前記第１メッセージと前記第２メッセージとは、前記表示部によって、前記第１メッセージと前記第２メッセージとが異なる奥行き位置に表示される。
【請求項２２】
請求項２１に記載の表示方法であって、
前記第１メッセージと前記第２メッセージとは、記第１メッセージに関連付けられた前記第１時刻と、前記第２メッセージに関連付けられた前記第２時刻とに基づき設定された前記奥行き位置の間隔で表示される。
【請求項２３】
請求項１３から請求項１５のいずれか一項に記載の表示方法であって、
前記第１端末とは異なる第２端末から送信された、前記第１メッセージとは異なる第５メッセージを前記通信部によって受信することと、
前記第２メッセージとは異なる第６メッセージを前記通信部によって、少なくとも前記第２端末に送信することと、
前記第１メッセージに関連付けられた前記第１時刻と、前記第２メッセージに関連付けられた前記第２時刻とに基づき設定された第１間隔で、前記第１メッセージと前記第２メッセージとを表示し、前記第５メッセージに関連付けられた第５時刻と、前記第６メッセージに関連付けられた第６時刻とに基づき設定された第３間隔で、前記第５メッセージと前記第６メッセージとを表示することとを含み、
前記第３間隔は、前記第５時刻と前記第６時刻との間の第３時間間隔が、前記第１時刻と前記第２時刻との間の第１時間間隔よりも長い場合、前記第１間隔よりも長く設定される。
【請求項２４】
請求項２３に記載の表示方法であって、
前記端末は、前記第１端末と前記第２端末とでグループ化され、
前記第１メッセージと前記第２メッセージとは、前記第２端末に送信され、
前記第５メッセージと前記第６メッセージとは、前記第１端末に送信され、
前記第１メッセージ、前記第２メッセージ、前記第５メッセージ、前記第６メッセージは前記第１端末の表示部によって表示され、前記第１メッセージ、前記第２メッセージ、前記第５メッセージ、前記第６メッセージは前記第２端末の表示部によって表示される。
【請求項２５】
第１端末とメッセージの送受信を行う端末であって、
前記第１端末から送信された第１メッセージを受信し、前記第１メッセージとは異なる第２メッセージを前記第１端末に送信する通信部と、
前記第１メッセージに関連付けられた第１時刻と、前記第２メッセージに関連付けられた第２時刻とに基づき設定された間隔で、前記第１メッセージと前記第２メッセージとを表示する表示部とを備える。